(57)【要約】【課題】コンクリート等で形成された構造物に発生するクラックを測定する測定周期を適切に決定する。【解決手段】測定周期決定装置２は、構造物が立地する立地地域の地理に関する項目を含む地理情報、立地地域の気象に関する項目を含む気象情報、及び構造物に関する項目を含む構造物情報の少なくとも１つを取得する関連情報取得部４１と、構造物に発生したクラックに関するクラック情報を取得するクラック情報取得部４２と、地理情報、気象情報、構造物情報、及びクラック情報の少なくとも１つに基づいて、クラックの幅を測定する測定周期を決定する測定周期決定部４４と、決定された測定周期に関連する測定周期情報を示す測定周期信号を出力する測定周期出力部４６とを有する。【選択図】図６
2018081560.tif 000002
【特許請求の範囲】
【請求項１】
構造物が立地する立地地域の地理に関する項目を含む地理情報、前記立地地域の気象に関する項目を含む気象情報、及び前記構造物に関する項目を含む構造物情報の少なくとも１つを取得する関連情報取得部と、
前記構造物に発生したクラックに関するクラック情報を取得するクラック情報取得部と、
前記地理情報、前記気象情報、前記構造物情報、及び前記クラック情報の少なくとも１つに基づいて、前記クラックの幅を測定する測定周期を決定する測定周期決定部と、
前記決定された測定周期に関連する測定周期情報を示す測定周期信号を出力する測定周期出力部と、
を有することを特徴とする測定周期決定装置。
【請求項２】
前記クラック情報に基づいて、前記測定周期を更新する測定周期更新部を更に有し、
前記測定周期出力部は、前記更新された測定周期を示す更新測定周期信号出力する、請求項１に記載の測定周期決定装置。
【請求項３】
前記クラック情報は、前記クラックに貼付けられ、第１方向に延伸する複数の線画を含む第１パターンを有する第１層部、及び前記第１層部と重ねられ且つ前記第１方向とは異なる第２方向に延伸する複数の線画を含む第２パターンを有する第２層部を含み、前記第１パターンと前記第２パターンが重ねられたことによりモアレが発生するシートを撮像した画像を示す画像データを含み、
前記測定周期更新部は、先に取得した前記画像データに対応する前記モアレと、今回取得された前記画像に対応する前記モアレとの比較に基づいて、前記クラックの成長幅を推定するクラック成長幅推定部を有する、請求項２に記載の測定周期決定装置。
【請求項４】
前記クラック情報は、前記クラックの成長幅及び前記クラックの幅の少なくとも１つを含む、請求項１又は２に記載の測定周期決定装置。
【請求項５】
前記地理情報、前記気象情報、前記構造物情報、及び前記クラック情報に含まれる少なくとも１つの項目は、数値に関連付けられ、
前記測定周期決定部は、所定の項目に関連付けられた数値の合計値が、所定の第１しきい値以下のときに、前記測定周期を所定の第１周期に決定する、請求項１〜４の何れか一項に記載の測定周期決定装置。
【請求項６】
前記測定周期決定部は、
前記地理情報、前記気象情報、前記構造物情報、及び前記クラック情報の少なくとも１つに含まれる項目のそれぞれを、区分を示す数値に数値化する数値化部と、
前記数値化部によって数値化された数値を加算して前記合計値を演算する合計値演算部と、
前記合計値が前記第１しきい値以下であるときに、前記第１周期を前記測定周期に決定する第１判定部と、
を有する、請求項５に記載の測定周期決定装置。
【請求項７】
前記測定周期決定部は、前記合計値が、前記第１しきい値より大きいときに、前記測定周期を前記第１周期よりも短い周期に決定する、請求項５又は６に記載の測定周期決定装置。
【請求項８】
前記測定周期決定部は、前記クラックの幅が所定の第２しきい値以下のときに、前記測定周期を前記第１周期よりも短い第２周期に決定し、前記クラックの幅が前記第２しきい値より大きいときに、前記測定周期を前記第２周期よりも短い第３周期に決定する、請求項６に記載の測定周期決定装置。
【請求項９】
前記測定周期決定部は、前記合計値が前記第１しきい値より大きく且つ前記クラックの幅が前記第２しきい値以下であるときに前記第２周期を前記測定周期に決定し、前記合計値が前記第１しきい値より大きく且つ前記クラックの幅が前記第２しきい値より大きいときに前記第３周期を前記測定周期に決定する第２判定部を更に有する、請求項８に記載の測定周期決定装置。
【請求項１０】
前記測定周期情報は、前記測定周期、前記クラックの幅を次に測定する日にち、及び前記クラックの幅を測定する日にちが所定の日にちしきい値よりも近いことを示す警報の少なくとも１つを含む、請求項１〜９の何れか一項に記載の測定周期決定装置。
【請求項１１】
複数の構造物のそれぞれについて、前記測定周期情報を記憶する記憶部と、
前記記憶部によって記憶された前記測定周期情報、及び前記複数の構造物のそれぞれの位置関係を示す位置関係情報に基づいて、複数の構造物のそれぞれのクラックの幅を測定するときの経路を含む測定経路情報を生成する測定経路情報生成部と、
前記測定経路情報を示す測定経路信号を出力する測定経路出力部と、
を更に有する、請求項１〜１０の何れか一項に記載の測定周期決定装置。
【請求項１２】
複数の構造物のそれぞれに発生したクラックのそれぞれについて、前記測定周期情報を記憶する記憶部と、
前記測定周期情報に基づいて、前記クラックのそれぞれを重み付けする重み付け部と、
前記重み付けを示す重み付け信号を出力する重み付け信号出力部と、
を更に有する、請求項１〜１０の何れか一項に記載の測定周期決定装置。
【請求項１３】
構造物が立地する立地地域の地理に関する項目を含む地理情報、前記立地地域の気象に関する項目を含む気象情報、及び前記構造物に関する項目を含む構造物情報の少なくとも１つを取得し、
前記構造物に発生したクラックに関するクラック情報を取得し、
前記地理情報、前記気象情報、前記構造物情報、及び前記クラック情報の少なくとも１つに基づいて、前記クラックの幅を測定する測定周期を決定し、
前記決定された測定周期に関連する測定周期情報を示す測定周期信号を出力する、
ことを含むことを特徴とする測定周期決定方法。
【請求項１４】
構造物が立地する立地地域の地理に関する項目を含む地理情報、前記立地地域の気象に関する項目を含む気象情報、及び前記構造物に関する項目を含む構造物情報の少なくとも１つを取得し、
前記構造物に発生したクラックに関するクラック情報を取得し、
前記地理情報、前記気象情報、前記構造物情報、及び前記クラック情報の少なくとも１つに基づいて、前記クラックの幅を測定する測定周期を決定し、
前記決定された測定周期に関連する測定周期情報を示す測定周期信号を出力する、
処理をコンピュータに実行させることを特徴とする測定周期決定プログラム。
【発明の詳細な説明】
【技術分野】
【０００１】
本開示は、測定周期決定装置、測定周期決定プログラム、及びその方法に関する。
【背景技術】
【０００２】
橋梁、堤防及びトンネル等の種々の構造物、並びに空調設備及び電気設備等の種々の設備を有する建築物の保守点検業務を効率的且つ確実に実行するための種々の技術が知られている。例えば、特許文献１には、機器毎の保守点検業務の１回当たりの点検負荷と点検周期とから建築物全体の年間総負荷を演算し、建築物の保守管理に必要な保守点検業務に必要な点検員の人数を決定することが記載されている。また、特許文献２には、点検員が使用する端末装置に点検する設備の位置を示す案内情報を表示し、点検員が点検する設備に近付いたときに、点検する設備の点検チェックリストを点検員が使用する端末装置に表示することが記載される。また、特許文献３には、通信端末に表示された点検マニュアルに基づいて、点検員が施設を点検した点検結果を、管理者にリアルタイムに通知することが記載されている。
【先行技術文献】
【特許文献】
【０００３】
【特許文献１】特開平１０−３０１９８６号公報
【特許文献２】特許第４１０７３５９号公報
【特許文献３】特開２０１０−１２８７１７号公報
【発明の概要】
【発明が解決しようとする課題】
【０００４】
しかしながら、コンクリート等で形成された構造物に発生するクラックを測定する測定周期を適切に決定することは、提案されていなかった。
【０００５】
本開示は、上記の課題を解決し、コンクリート等で形成された構造物に発生するクラックを測定する測定周期を適切に決定することを可能にする測定周期決定装置、測定周期決定プログラム、及び測定周期決方法を提供することを目的とする。
【課題を解決するための手段】
【０００６】
本開示の一実施形態に係る測定周期決定装置は、構造物が立地する立地地域の地理に関する項目を含む地理情報、立地地域の気象に関する項目を含む気象情報、及び構造物に関する項目を含む構造物情報の少なくとも１つを取得する関連情報取得部と、構造物に発生したクラックに関するクラック情報を取得するクラック情報取得部と、地理情報、気象情報、構造物情報、及びクラック情報の少なくとも１つに基づいて、クラックの幅を測定する測定周期を決定する測定周期決定部と、決定された測定周期に関連する測定周期情報を示す測定周期信号を出力する測定周期出力部と、を有することを特徴とする。
【０００７】
上記の測定周期決定装置は、クラック情報に基づいて、測定周期を更新する測定周期更新部を更に有し、測定周期出力部は、更新された測定周期を示す更新測定周期信号出力してもよい。
【０００８】
上記の測定周期決定装置では、クラック情報は、クラックに貼付けられ、第１方向に延伸する複数の線画を含む第１パターンを有する第１層部、及び第１層部と重ねられ且つ第１方向とは異なる第２方向に延伸する複数の線画を含む第２パターンを有する第２層部を含み、第１パターンと第２パターンが重ねられたことによりモアレが発生するシートを撮像した画像を示す画像データを含み、測定周期更新部は、先に取得した画像データに対応するモアレと、今回取得された画像に対応するモアレとの比較に基づいて、クラックの成長幅を推定するクラック成長幅推定部を有してもよい。
【０００９】
上記の測定周期決定装置では、クラック情報は、クラックの成長幅及びクラックの幅の少なくとも１つを含んでもよい。
【００１０】
上記の測定周期決定装置では、地理情報、気象情報、構造物情報、及びクラック情報に含まれる少なくとも１つの項目は、数値に関連付けられ、測定周期決定部は、所定の項目に関連付けられた数値の合計値が、所定の第１しきい値以下のときに、測定周期を所定の第１周期に決定してもよい。
【００１１】
上記の測定周期決定装置では、測定周期決定部は、地理情報、気象情報、構造物情報、及びクラック情報の少なくとも１つに含まれる項目のそれぞれを、区分を示す数値に数値化する数値化部と、数値化部によって数値化された数値を加算して合計値を演算する合計値演算部と、合計値が第１しきい値以下であるときに、第１周期を測定周期に決定する第１判定部と、を有してもよい。
【００１２】
上記の測定周期決定装置では、測定周期決定部は、合計値が、第１しきい値より大きいときに、測定周期を第１周期よりも短い周期に決定してもよい。
【００１３】
上記の測定周期決定装置では、測定周期決定部は、クラックの幅が所定の第２しきい値以下のときに、測定周期を第１周期よりも短い第２周期に決定し、クラックの幅が第２しきい値より大きいときに、測定周期を第２周期よりも短い第３周期に決定してもよい。
【００１４】
上記の測定周期決定装置では、測定周期決定部は、合計値が第１しきい値より大きく且つクラックの幅が第２しきい値以下であるときに第２周期を測定周期に決定し、合計値が第１しきい値より大きく且つクラックの幅が第２しきい値より大きいときに第３周期を測定周期に決定する第２判定部を更に有してもよい。
【００１５】
上記の測定周期決定装置では、測定周期情報は、測定周期、クラックの幅を次に測定する日にち、及びクラックの幅を測定する日にちが所定の日にちしきい値よりも近いことを示す警報の少なくとも１つを含んでもよい。
【００１６】
上記の測定周期決定装置は、複数の構造物のそれぞれについて、測定周期情報を記憶する記憶部と、記憶部によって記憶された測定周期情報、及び複数の構造物のそれぞれの位置関係を示す位置関係情報に基づいて、複数の構造物のそれぞれのクラックの幅を測定するときの経路を含む測定経路情報を生成する測定経路情報生成部と、測定経路情報を示す測定経路信号を出力する測定経路出力部と、を更に有してもよい。
【００１７】
上記の測定周期決定装置は、複数の構造物のそれぞれに発生したクラックのそれぞれについて、測定周期情報を記憶する記憶部と、測定周期情報に基づいて、クラックのそれぞれを重み付けする重み付け部と、重み付けを示す重み付け信号を出力する重み付け信号出力部とを更に有してもよい。
【００１８】
本開示の別の実施形態に係る測定周期決定方法は、構造物が立地する立地地域の地理に関する項目を含む地理情報、立地地域の気象に関する項目を含む気象情報、及び構造物に関する項目を含む構造物情報の少なくとも１つを取得し、構造物に発生したクラックに関するクラック情報を取得し、地理情報、気象情報、構造物情報、及びクラック情報の少なくとも１つに基づいて、クラックの幅を測定する測定周期を決定し、決定された測定周期に関連する測定周期情報を示す測定周期信号を出力することを含むことを特徴とする。
【００１９】
本開示の別の実施形態に係る測定周期決定プログラムは、構造物が立地する立地地域の地理に関する項目を含む地理情報、立地地域の気象に関する項目を含む気象情報、及び構造物に関する項目を含む構造物情報の少なくとも１つを取得し、構造物に発生したクラックに関するクラック情報を取得し、地理情報、気象情報、構造物情報、及びクラック情報の少なくとも１つに基づいて、クラックの幅を測定する測定周期を決定し、決定された測定周期に関連する測定周期情報を示す測定周期信号を出力する処理をコンピュータに実行させることを特徴とする。
【発明の効果】
【００２０】
本開示の装置、プログラム、プログラム等によれば、コンクリート等で形成された構造物に発生するクラックを測定する測定周期を適切に決定することができる。
【図面の簡単な説明】
【００２１】
【図１】実施形態に使用されるシートの断面図であり、（Ａ）は変形前、（Ｂ）は変形後をそれぞれ示す。
【図２】（Ａ）は変形追従部が変形する前のシートの部分拡大平面図であり、（Ｂ）は変形追従部が変形した後のシートの部分拡大平面図である。
【図３】実施形態に係る測定周期決定システムを示す図である。
【図４】図３に示す端末装置の概略構成の一例を示す図である。
【図５】図３に示す第１サーバの概略構成の一例を示す図である。
【図６】図３に示す測定周期決定システムによる、初回撮影時の測定周期決定処理の一例を示すフローチャートである。
【図７】端末装置に表示される初期画面の一例を示す図である。
【図８】端末装置に表示されるサイト情報取得画面（第１）の一例を示す図である。
【図９】端末装置に表示されるサイト情報取得画面（第２）の一例を示す図である。
【図１０】端末装置に表示されるシート情報取得画面（第１）の一例を示す図である。
【図１１】端末装置に表示されるシート画像送信画面（第１）の一例を示す図である。
【図１２】図６に示すＳ１０４の処理のより詳細な一例を示すフローチャートである。
【図１３】図６に示すＳ１０４の処理で登録された情報の一例を示す図である。
【図１４】図６に示すＳ１０７の処理のより詳細な一例を示すフローチャートである。
【図１５】図６に示すＳ１０７の処理で更新された情報の一例を示す図である。
【図１６】図６に示すＳ１１１の処理のより詳細な一例を示すフローチャートである。
【図１７】図６に示すＳ１１２の処理のより詳細な一例を示すフローチャートである。
【図１８】図５に示す数値化部による数値化処理に用いる基準が記述されたテーブルの一例を示す図である。
【図１９】図６に示すＳ１１２の処理で更新された測定情報の一例を示す図である。
【図２０】図３に示す測定周期決定システムによる、２回目以降撮影時の測定周期更新処理の一例を示すフローチャートである。
【図２１】端末装置に表示されるサイト情報取得画面（第２）の一例を示す図である。
【図２２】端末装置に表示されるシート画像送信画面（第２）の一例を示す図である。
【図２３】図２０に示すＳ６０７の処理のより詳細な一例を示すフローチャートである。
【図２４】図２０に示すＳ７０７の処理を説明するための第１の図である。
【図２５】（Ａ）はＳ７０７の処理を説明するための第２の図であり、（Ｂ）はＳ７０７の処理を説明するための第３の図である。
【図２６】図２０に示すＳ６０７の処理で更新された情報の一例を示す図である。
【図２７】図３に示す第２サーバの概略構成の一例を示す図である。
【図２８】図２７に示す測定経路生成部による測定経路情報生成処理の一例を示すフローチャートである。
【図２９】図２８に示すＳ８０５の処理で生成される測定経路情報の一例を示す図である。
【図３０】図３に示す探索端末装置の概略構成の一例を示す図である。
【図３１】図３に示す第３サーバの概略構成の一例を示す図である。
【図３２】図３１に示す探索情報生成部による探索情報生成処理の一例を示すフローチャートである。
【図３３】図３２に示すＳ９０４の処理で生成されるポイント地図の一例を示す図である。
【図３４】図３に示す測定周期決定システムによる探索情報生成処理の他の一例を示すフローチャートである。
【発明を実施するための形態】
【００２２】
以下、図面を参照しつつ、本発明の実施形態について説明する。ただし、本発明は図面又は以下に記載される実施形態には限定されないことを理解されたい。
【００２３】
＜本発明に使用されるシートの一態様＞
図１は、本実施形態に使用されるシートの一態様を示す図であり、一例ではクラックが発生した構造物の壁面である測定対象物１０２にシート１０１が固定されている状態を示している。シート１０１は、変形追従部１１１、非変形追従部１１２、及びこれらの間に存在する変形緩衝部１１３を有する。典型的な態様において、シートは、図１に示すように、変形追従部及び非変形追従部がシートの第１及び第２の主面をそれぞれ含む。
【００２４】
本開示で、変形追従部とは、シートを測定対象物に固定した状態で該測定対象物に変形量が生じた際に、該測定対象物の変形に追従して変形する能力を有する部位である。
本開示で、非変形追従部とは、上記変形追従部に変形が生じた際に該変形に実質的に追従せず、従って実質的に変形が生じない部位である。
本開示で、変形緩衝部とは、上記非変形追従部が上記変形追従部の変形によって実質的に変形しないために十分な変形緩衝能力を有する部位である。
【００２５】
シートは、単層又は複数層で構成されていることができる。シートは、変形追従部、非変形追従部、及び変形緩衝部として機能する部位を有していればよい。従って、例示の態様においては、シートが単層であり、該単層が適切な厚み及び物性を有していることによって、変形追従部、非変形追従部、及び変形緩衝部が構成される。また、別の例示の態様においては、シートが、材質、厚み等が互いに異なる複数層で構成され、各層が変形追従部、非変形追従部又は変形緩衝部としてそれぞれ機能することができる。また、更に別の例示の態様においては、シートが、変形追従部及び変形緩衝部として機能する層と、非変形追従部として機能する層との２層で構成されることができ、又は、変形追従部として機能する層と、変形緩衝部及び非変形追従部として機能する層との２層で構成されることができる。以上のように、シートの層構成は、変形追従部、非変形追従部、及び変形緩衝部として機能する部位を有することを条件として任意に設計可能である。例えば、図１は、シートが単層である場合の例を示しており、他の例では、シートが伸長性層、非伸長性層及び粘弾性層の３層である。
【００２６】
変形追従部は第１方向に延伸する複数の直線を含む第１パターンを有し、非変形追従部は第１方向とは異なる第２方向に延伸する複数の直線を含む第２パターンを有する。本開示のシートは、第１パターンと第２パターンとが生成するモアレ縞が検出可能であるように構成されている。より具体的には、第１パターンは第２パターンを介して視認可能である。ここで第１パターンが第２パターンを介して視認可能であるとは、シートの第１パターン側及び第２パターン側のうち第２パターン側から第１及び第２パターンを観測したときに、第１パターンが第２パターンと共に視覚化できることを意味する。視覚化の手段は任意に選択でき、例えば各種カメラを用いた可視光下でのパターン撮影を例示できる。第１パターンが第２パターンを介して視認可能であるような構成によれば、第１パターンと第２パターンとの干渉によって生成するモアレ縞もまた視認可能であり、該モアレ縞に基づいた測定対象物の３次元の変形の評価が可能である。
【００２７】
第１パターンが第２パターンを介して視認可能であるための好ましい態様において、本開示のシートの、第１パターンから第２パターンを介してシート表面に至るまでの部位は、典型的には明澄な材料で構成されている。本開示で、「明澄な材料」とは、３００〜８３０ｎｍ波長光における全光線透過率が３０％以上であること、より好ましくは８０％以上であることを意味する。上記全光線透過率は、ヘイズメーター（例えば、ＮＤＨ２０００ヘイズメーター（日本電色工業（株）製  東京都文京区））にて測定される値である。
【００２８】
本開示のシートの重要な特徴の１つは、変形追従部の変形によって第１パターンが歪むこと、及び非変形追従部が有する第２パターンは、上記第１パターンの歪みの影響を実質的に受けないこと、すなわち実質的に歪まないことである。シートは、測定対象物に固定されたときに該測定対象物の変形を第１のパターイメージの歪みによって３次元で検出できる。すなわち、図１に示すような測定対象物の面内方向の変形（図１の（Ａ）は変形前、図１の（Ｂ）は変形後をそれぞれ示す）が、第１パターンの歪みを生じさせる。そしてこの第１パターンの歪みと、歪んでいない第２パターンとによって生じるモアレ縞を検出及び解析することにより、該測定対象物に生じた変形を３次元において定量的に評価できる。また測定対象物において変形が生じた位置も特定できる。
【００２９】
本開示のシートを用いて測定対象物の変形を評価する際には、シートのモアレ縞を検出する。モアレ縞の検出機器は、必ずしもシート近傍まで接近する必要はないため、本開示のシートは簡便な評価という点で有利である。加えて、本開示のシートは、安価であり、且つ電源等を必要としないため設置が簡便であるという点でも有利である。
【００３０】
第１パターン及び第２パターンとしては、モアレ縞により変形を評価するのに用いられる従来公知の任意のパターンを採用できる。パターンの詳細、例えばパターン形状の種類、ピッチ等は、目的の変形量等に応じて適宜選択できる。パターン形状としては、グリッド、千鳥模様、ドット、複数の平行な直線等を例示できる。例示の態様において、第１及び第２パターンが、それぞれ幅約０．２ｍｍ〜約０．４ｍｍであり且つピッチ約０．４ｍｍ〜約０．８ｍｍ程度を有するグリッドであることができる。例えば、本開示のシートの好適な用途である建造物の壁面等の変形評価においては、例えば０．１〜２．０ｍｍ程度の変形の検出が所望される場合が多い。このような用途に適したパターンの形状及びピッチの例としては、例えば、一辺が１００ｍｍ程度のサイズのシートにおいて、ピッチ約０．３ｍｍ〜約１．０ｍｍ程度が挙げられる。
【００３１】
本実施形態の一態様に係るシートのより詳細な構造は、例えば特開２０１５−１８４０４３号公報等に記載されている。
【００３２】
＜第１パターン及び第２パターンの態様＞
図２（Ａ）は変形追従部１１１が変形する前のシート１０１の部分拡大平面図であり、図２（Ｂ）は変形追従部１１１が変形した後のシート１０１の部分拡大平面図である。
【００３３】
変形追従部１１１が変形する前の第１パターン１２１及び第２パターン１２２のそれぞれに含まれる平行して配置される複数の直線のピッチは、pitchである。変形追従部１１１が変形した後、第１パターン１２１に含まれる直線のピッチは、pitch+Δpitch_stに変化する。変形追従部１１１が変形した後においても、非変形追従部１１２は変形しないので、第１パターン１２１に含まれる直線のピッチは、pitchで維持される。
【００３４】
変形追従部１１１が変形する前のモアレのピッチは第１ピッチmoire_pitch1であり、変形追従部１１１が変形する前のモアレの第１方向に直交する第３方向と、モアレの延伸方向との間の傾斜角は、第１傾斜角moire_θ1である。変形追従部１１１が変形した後のモアレのピッチは第２ピッチmoire_pitch2であり、変形追従部１１１が変形した後のモアレの第３方向と、モアレの延伸方向との間の傾斜角は、第２傾斜角moire_θ２である。
【００３５】
＜実施形態に係る測定周期決定システムの構成及び機能＞
図３は実施形態に係る測定周期決定システムを示す図である。
【００３６】
測定周期決定システム１００では、不図示の交換機が、広域通信回線網である通信ネットワーク５を介して相互に接続される。交換機は、ある地域をカバーする無線通信ネットワークを通信ネットワーク５に接続する。無線通信ネットワークには、地域内をカバーする無線ゾーンを管理するように基地局４が配置される。基地局４は、基地局４が属する不図示の無線ネットワーク制御装置を介して交換機に接続される。そして、その地域内の端末装置１及び探索端末装置８が、第１サーバ２、第２サーバ７及び第３サーバ９等と通信を行う際に、端末装置１及び探索端末装置８は、基地局４を介して交換機に接続され、さらに通信ネットワーク５に接続される。
【００３７】
また、通信ネットワーク５は、イーサネット（登録商標）等の有線ＬＡＮにより、不図示のゲートウェイを介して、インタネット６と接続される。インタネット６には、構造物情報データベース、３−１地理情報データベース３−２及び気象情報データベース３−３、並びに第１サーバ２、第２サーバ７及び第３サーバ９が更に接続される。地理情報データベース３−２は、各地の地理情報を記憶するデータベースである。
【００３８】
端末装置１は第１〜第３実施形態において点検員が使用する端末装置であり、探索端末装置８は第３実施形態において一般ユーザが使用する端末装置である。第１サーバ２は第１実施形態において使用されるサーバであり、第２サーバ７は第２実施形態において使用されるサーバであり、第３サーバ９は第３実施形態において使用されるサーバである。
【００３９】
構造物情報データベース３−１は、建設年、鉄筋コンクリート等の構造物の材質、並びに橋梁及びトンネル等の構造物の種別の構造物に関する項目を含む構造物情報を構造物毎に記憶する。構造物情報データベース３−１は、単一の記憶装置に記憶されてもよく、記憶される構造物情報の種類に応じて複数の記憶装置に記憶されてもよい。
【００４０】
地理情報データベース３−２は、地盤の強さ、塩害の有無、発生した地震の最高震度及び地震の発生頻度等の構造物が立地する立地地域の地理に関する項目を含む地理情報を地域毎に記憶する。地理情報データベース３−２は、単一の記憶装置に記憶されてもよく、記憶される地理情報の種類に応じて複数の記憶装置に記憶されてもよい。
【００４１】
気象情報データベース３−３は、最高気温、最低気温、最高湿度、最低湿度、最高風速、最高雨量及び最高降雪量等の構造物が立地する立地地域の気象に関する項目を含む気象情報を地域毎に記憶する。気象情報データベース３−３は、単一の記憶装置に記憶されてもよく、記憶される気象情報の種類に応じて複数の記憶装置に記憶されてもよい。
【００４２】
＜第１実施形態に係る測定周期決定システムの構成＞
第１実施形態に係る測定周期決定システムは、図３に示す端末装置１と、第１サーバ２と、構造物情報データベース３−１と、地理情報データベース３−２と、気象情報データベース３−３とを含む。
【００４３】
＜第１実施形態に係る端末装置の構成及び機能＞
図４は、端末装置１の概略構成の一例を示す図である。
【００４４】
端末装置１は、例えば多機能携帯電話（いわゆる「スマートフォン」）であり、無線通信ネットワークへの接続、近距離無線通信、所定のアプリケーションプログラムの実行等を可能とする。そのために、端末装置１は、端末通信部１１と、近距離通信部１２と、操作部１３と、ディスプレイ１４と、端末記憶部１５と、撮像部１６と、測位システム部１７と、時計部１８と、端末処理部２０とを有する。なお、端末装置１は、通信機能を有する通信装置であればよく、例えば携帯端末（Personal Digital Assistant, PDA）、携帯ゲーム機、携帯音楽プレーヤ、タブレットＰＣ等の端末装置でもよい。
【００４５】
端末通信部１１は、主に２．１ＧＨｚ帯を感受帯域とするアンテナを含む、通信インターフェース回路を有し、端末装置１を通信ネットワークに接続する。端末通信部１１は、不図示の基地局により割り当てられるチャネルを介して、基地局との間でＣＤＭＡ（Code Division Multiple Access）方式等による無線信号回線を確立し、基地局との間で無線通信を行う。そして、端末通信部１１は、基地局から受信したデータを端末処理部２０に供給する。また、端末通信部１１は、端末処理部２０から供給されたデータを基地局に送信する。なお、端末通信部１１は、ＨＴＴＰ（Hypertext Transfer Protocol）のプロトコルに従って不図示のサーバとの間のデータ通信を行う。また、端末通信部１１は、主に２．４ＧＨｚ帯を感受帯域とするアンテナを含む通信インターフェース回路を有し、基地局を介さずにＷｉ−Ｆｉ（登録商標）等の無線ＬＡＮの基地局を介して無線通信を行う。
【００４６】
近距離通信部１２は、Ｂｌｕｅｔｏｏｔｈ  ＬＥ（Low Energy）（登録商標）等の通信方式に従った近距離無線通信を行うためのインターフェース回路を有し、他の端末装置等との間で近距離無線通信を行う。そして、近距離通信部１２は、他の端末装置等から受信したデータを端末処理部２０に供給する。また、近距離通信部１２は、端末処理部２０から供給されたデータを他の端末装置等に送信する。なお、近距離通信部１２は、Ｂｌｕｅｔｏｏｔｈ（登録商標）、ＲＦＩＤ（Radio Frequency IDentification）、ＺｉｇＢｅｅ等の他の通信方式に従った近距離無線通信を行うためのインターフェース回路を有してもよい。
【００４７】
操作部１３は、端末装置１の操作が可能であればどのようなデバイスでもよく、例えば、キーパッド等である。ユーザは、このデバイスを用いて、文字、数字等を入力することができる。操作部１３は、ユーザの指示を受け付け、受け付けた指示に対応する信号を発生し、端末処理部２０に出力する。また、操作部１３は、タップ、ドラッグ、フリック等の接触により、ユーザの指示を受け付け、受け付けた指示に対応する信号を発生し、端末処理部２０に出力する。
【００４８】
ディスプレイ１４は、動画像、静止画像等の出力が可能であればどのようなデバイスでもよい。ディスプレイ１４は、端末処理部２０から供給される動画像データに応じた動画像、静止画像データに応じた静止画像等を表示する。
【００４９】
端末記憶部１５は、例えば、半導体メモリを有する。端末記憶部１５は、端末処理部２０での処理に用いられるドライバプログラム、オペレーティングシステムプログラム、アプリケーションプログラム、データ等を記憶する。例えば、端末記憶部１５は、ドライバプログラムとして、端末通信部１１を制御する携帯電話通信デバイスドライバプログラム、無線ＬＡＮ通信デバイスドライバプログラムを記憶する。また、端末記憶部１５は、近距離通信部１２を制御する近距離無線通信デバイスドライバプログラム、操作部１３を制御する入力デバイスドライバプログラム、ディスプレイ１４を制御する出力デバイスドライバプログラム等を記憶する。また、端末記憶部１５は、アプリケーションプログラムとして、ウェブページの取得及び表示を行うウェブブラウザプログラムを含む種々のプログラムを記憶する。コンピュータプログラムは、例えばフラッシュメモリを含む半導体メモリ等のコンピュータ読み取り可能な可搬型記録媒体から、公知のセットアッププログラム等を用いて端末記憶部１５にインストールされてもよい。
【００５０】
また、端末記憶部１５は、データとして、撮像処理及び変形量測定処理で使用される情報及びデータ、並びに撮像処理及び変形量測定処理でもとめられたデータを記憶する。さらに、端末記憶部１５は、所定の処理に係る一時的なデータを一時的に記憶してもよい。
【００５１】
撮像部１６は、アレイ状に配置された撮像素子と、撮像素子を駆動する素子駆動部とを有する。撮像素子は、電荷結合素子（ＣＣＤ）型センサ、又はアクティブピクセルセンサ（ＡＰＳ）型センサと、カラーフィルタとを有し、入射した光に応じた電荷を蓄積する。素子駆動部は、撮像素子のそれぞれで蓄積された電荷を電気信号に変換して端末処理部２０に出力する。
【００５２】
測位システム部１７は、端末処理部２０からの指示に従って、端末装置１が存在する位置を測定する。測位システム部１７は、主に１．５ＧＨｚ帯を感受帯域とするアンテナを含む、ＧＰＳ回路を有し、不図示のＧＰＳ衛星からＧＰＳ信号を受信する。測位システム部１７は、そのＧＰＳ信号をデコードし、時刻情報等を取得する。測位システム部１７は、その時刻情報等に基づいてＧＰＳ衛星から測位システム部１７までの擬似距離を計算し、その擬似距離を代入して得られる連立方程式を解くことにより、端末装置１が存在する位置（緯度及び経度等）を測定し、位置情報として出力する。
【００５３】
時計部１８は、クロック回路等で構成され、日時を計数し、各種情報の更新処理等のための日にち情報及び時刻情報を生成する。
【００５４】
端末処理部２０は、一又は複数個のプロセッサ及びその周辺回路を有する。端末処理部２０は、端末装置１の全体的な動作を統括的に制御するものであり、例えば、ＣＰＵ（Central Processing Unit）である。端末処理部２０は、端末装置１の各種処理が端末記憶部１５に記憶されているプログラム、操作部１３の操作等に応じて適切な手順で実行されるように、端末通信部１１、近距離通信部１２等の動作を制御する。端末処理部２０は、端末記憶部１５に記憶されているプログラム（ドライバプログラム、オペレーティングシステムプログラム、アプリケーションプログラム等）に基づいて処理を実行する。また、端末処理部２０は、複数のプログラム（アプリケーションプログラム等）を並列に実行することができる。
【００５５】
端末処理部２０は、測定開始通知部２１と、サイト情報取得部２２と、シート情報取得部２３と、シート画像取得部２４と、測定日表示部２５とを有する。端末処理部２０が有するこれらの各部は、端末処理部２０が有するプロセッサ上で実行されるプログラムによって実装される機能モジュールである。あるいは、端末処理部２０が有するこれらの各部は、独立した集積回路、マイクロプロセッサ、又はファームウェアとして端末装置１に実装されてもよい。
【００５６】
＜第１実施形態に係る第１サーバの構成及び機能＞
図５は、第１実施形態に係る測定周期決定装置の一例である第１サーバ２の概略構成の一例を示す図である。
【００５７】
第１サーバ２は、種々の情報処理が可能な情報処理装置であり、第１サーバ通信部３１と、第１サーバ記憶部３２と、第１サーバ出力部３３と、第１サーバ入力部３４と、第１サーバ処理部４０とを備える。
【００５８】
第１サーバ通信部３１は、イーサネット（登録商標）などの有線の通信インターフェース回路を有する。第１サーバ通信部３１は、不図示のＬＡＮ及びインタネット６を介して端末装置１、構造物情報データベース３−１、地理情報データベース３−２、及び気象情報データベース３−３等と通信を行う。そして、第１サーバ通信部３１は、端末装置１、構造物情報データベース３−１、地理情報データベース３−２、及び気象情報データベース３−３等から受信したデータを第１サーバ処理部４０に供給する。また、第１サーバ通信部３１は、第１サーバ処理部４０から供給されたデータを端末装置１等に送信する。
【００５９】
第１サーバ記憶部３２は、例えば、半導体メモリ、磁気ディスク装置、及び光ディスク装置のうちの少なくとも一つを有する。第１サーバ記憶部３２は、第１サーバ処理部４０による処理に用いられるドライバプログラム、オペレーティングシステムプログラム、アプリケーションプログラム、データ等を記憶する。例えば、第１サーバ記憶部３２は、ドライバプログラムとして、第１サーバ通信部３１を制御する通信デバイスドライバプログラム等を記憶する。また、第１サーバ記憶部３２は、オペレーティングシステムプログラムとして、ＴＣＰ／ＩＰ（Transmission Control Protocol / Internet Protocol）等の通信方式による接続制御プログラム等を記憶する。また、第１サーバ記憶部３２は、アプリケーションプログラムとして、各種データの送受信を行うデータ処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて第１サーバ記憶部３２にインストールされてもよい。
【００６０】
第１サーバ出力部３３は、動画像、静止画像等の出力が可能であればどのようなデバイスでもよく、例えば、タッチパネル式の表示装置、液晶ディスプレイ、有機ＥＬ（Electro−Luminescence）ディスプレイ等である。第１サーバ出力部３３は、第１サーバ処理部４０から供給される動画像データに応じた動画像、静止画像データに応じた静止画像等を表示する。
【００６１】
第１サーバ入力部３４は、第１サーバ２への入力が可能であればどのようなデバイスでもよく、例えば、タッチパネル式の入力装置、キーパッド等である。ユーザは、このデバイスを用いて、文字及び数字等を入力することができる。第１サーバ入力部３４は、ユーザの指示を受け付け、受け付けた指示に対応する信号を発生し、第１サーバ処理部４０に出力する。
【００６２】
第１サーバ処理部４０は、一又は複数個のプロセッサ及びその周辺回路を有する。第１サーバ処理部４０は、第１サーバ２の全体的な動作を統括的に制御するものであり、例えば、ＣＰＵである。第１サーバ処理部４０は、第１サーバ２の各種処理が第１サーバ記憶部３２に記憶されているプログラム等に応じて適切な手順で実行されるように、第１サーバ通信部３１等の動作を制御する。第１サーバ処理部４０は、第１サーバ記憶部３２に記憶されているプログラム（ドライバプログラム、オペレーティングシステムプログラム、アプリケーションプログラム等）に基づいて処理を実行する。また、第１サーバ処理部４０は、複数のプログラム（アプリケーションプログラム等）を並列に実行することができる。
【００６３】
第１サーバ処理部４０は、サイト情報登録部４１と、シート情報登録部４２と、測定情報登録部４３と、測定周期決定部４４と、測定周期更新部４５と、測定周期出力部４６とを有する。測定周期決定部４４は、数値化部４４１と、合計値演算部４４２と、第１判定部４４３と、第２判定部４４４と、周期決定部４４５とを有する。測定周期更新部４５は、更新情報登録部４５１と、クラック成長幅推定部４５２と、周期更新部４５３とを有する。第１サーバ処理部４０が有するこれらの各部は、第１サーバ処理部４０が有するプロセッサ上で実行されるプログラムによって実装される機能モジュールである。あるいは、第１サーバ処理部４０が有するこれらの各部は、独立した集積回路、マイクロプロセッサ、又はファームウェアとして第１サーバ２に実装されてもよい。
【００６４】
＜第１実施形態に係る測定周期決定システムによる測定周期決定処理＞
図６は、測定周期決定システム１００が実行する測定周期決定処理の一例を示すフローチャートである。
【００６５】
まず、端末装置１は、不図示の点検員の指示に基づいて、シートが貼付けられたクラックの初回の撮影を開始することを第１サーバ２に通知する（Ｓ１０１）。より詳細を、図７を用いて説明する。
【００６６】
測定開始通知部２１は、ディスプレイ１４を介してクラック測定処理を実行するアプリケーションプログラムが選択されると、初期画面をディスプレイ１４に表示する。図７は、ディスプレイ１４に表示される初期画面の一例を示す図である。
【００６７】
初期画面１４０は、初回撮影ボタン１４０１と、２回目以降撮影ボタン１４０２とを有する。端末装置１の測定開始通知部２１は、初期画面１４０の初回撮影ボタン１４０１が不図示の点検員によって押下されたときに、シートが貼付けられたクラックの初回の撮影を開始することを第１サーバ２に通知する（Ｓ１０１）。
【００６８】
第１サーバ２のサイト情報登録部４１は、シートが貼付けられたクラックの初回の撮影を開始することが通知されると、サイト情報を端末装置１に要求する（Ｓ１０２）。端末装置１のサイト情報取得部２２は、サイト情報を要求されると、サイト情報を取得し、取得したサイト情報を示す信号を第１サーバ２に送信する（Ｓ１０３）。
【００６９】
図８及び９は、Ｓ１０２の要求を受けた端末装置１が、Ｓ１０３でサイト情報を取得および送信するためにディスプレイ１４に表示されるサイト情報取得画面の一例を示す図であり、図８は第１サイト情報取得画面の一例を示し、図９は第２サイト情報取得画面の一例を示す。
【００７０】
サイト情報取得部２２は、サイト情報を要求されると、第１サイト情報取得画面１４１をディスプレイ１４に表示する。第１サイト情報取得画面１４１は、既構造物選択部１４１１と、新規構造物選択部１４１２とを有する。
【００７１】
既構造物選択部１４１１が押下された場合には、サイト情報取得部２２はディスプレイ１４に、登録済の構造物の名称をドロップダウンリスト形式で選択可能に表示する。サイト情報取得部２２によってドロップダウンリスト形式で表示された構造物の名称が選択されると、サイト情報取得部２２は、選択された構造物の名称を含むサイト情報を示す信号を第１サーバ２に送信する（Ｓ１０３）。
【００７２】
サイト情報取得部２２は、第１サイト情報取得画面１４１において新規構造物選択部１４１２が押下された場合には、第２サイト情報取得画面１４２をディスプレイ１４に表示する。第２サイト情報取得画面１４２は、構造物図面画像１４２１と、構造物名称入力部１４２２と、アップロードボタン１４２３と、入力された情報を消去するキャンセルボタン１４２４とを有する。構造物図面画像１４２１は、端末装置１を操作する不図示の点検員により予め取得され、端末記憶部１５に記憶される。構造物名称入力部１４２２は、押下された場合には、サイト情報取得部２２は入力画面をディスプレイ１４に表示し、不図示の点検員により構造物の名称が操作部１３を介して入力される。サイト情報取得部２２は、アップロードボタン１４２３が押下されたとき、構造物図面画像１４２１及び構造物名称入力部１４２２に入力された構造物の名称及び測位システム部１７が取得した位置情報を含むサイト情報を示す信号を第１サーバ２に送信する（Ｓ１０３）。
【００７３】
次いで、第１サーバ２のサイト情報登録部４１は、端末装置１から送信されたサイト情報を登録する（Ｓ１０４）。端末装置１から送信されたサイト情報が登録されると、第１サーバ２のシート情報登録部４２は、シート情報及び初期クラック値情報を端末装置１に要求する（Ｓ１０５）。端末装置１のシート情報取得部２３は、シート情報及び初期クラック値情報を要求されると、シート情報及び初期クラック値情報を取得し、取得したシート情報及び初期クラック値情報のそれぞれを示す信号を第１サーバ２に送信する（Ｓ１０６）。
【００７４】
図１０は、Ｓ１０５の要求を受けた端末装置１が、Ｓ１０６でシート情報及び初期クラック値情報を取得して送信するためにディスプレイ１４に表示する第１シート情報取得画面の一例を示す図である。
【００７５】
シート情報取得部２３は、シート情報を要求されると、第１シート情報取得画面１４３をディスプレイ１４に表示する。第１シート情報取得画面１４３は、シート位置選択部１４３１と、シート位置名称入力部１４３２と、シート型番選択部１４３３と、シート情報表示部１４３４と、初期クラック幅入力部１４３５とを有する。第１シート情報取得画面１４３は、アップロードボタン１４３６と、入力された情報を消去するキャンセルボタン１４３７とを更に有する。シート位置選択部１４３１は、シートが貼付けられる構造物の図面画像を含み、図１０において星印で示されるように、不図示の点検員により押下された構造物の図面画像上の位置をシートの貼付け位置を示すシート貼付座標として識別する。シート位置選択部１４３１に含まれる図面画像は、通信ネットワーク５を介して第１サーバ２または図示されない他のサーバから入手してもよく、また端末装置１で撮影した写真データを使用してもよい。シート位置名称入力部１４３２は、押下された場合には、シート情報取得部２３は入力画面をディスプレイ１４に表示し、不図示の点検員によりシートの貼付け位置の名称が操作部１３を介して入力される。シート型番選択部１４３３は、押下されると、シートの型番をドロップダウンリスト形式で選択可能に表示する。シート情報取得部２３は、シート型番選択部１４３３によってドロップダウンリスト形式で表示されたシート型番が選択されると、選択されたシート型番に対応する印刷パターン、ピッチ幅及びオフセット角等のパターン情報をシート情報表示部１４３４に表示する。初期クラック幅入力部１４３５は、押下された場合には、シート情報取得部２３は入力画面をディスプレイ１４に表示し、シートが貼付けられたクラックのクラック幅の初期値が不図示の点検員により操作部１３を介して入力される。シート情報取得部２３は、アップロードボタン１４３６が押下されたとき、シート貼付座標、シート位置名称及びパターン情報を含むシート情報、並びにクラック幅の初期値を含む初期クラック値情報を示す信号を第１サーバ２に送信する（Ｓ１０６）。シート貼付座標はシート位置選択部１４３１を介して入力された情報であり、シート位置名称はシート位置名称入力部１４３２を介して入力された情報である。パターン情報はシート型番選択部１４３３を介して選択されたシートに対応した情報であり、クラック幅の初期値は初期クラック幅入力部１４３５を介して入力された情報である。
【００７６】
第１サーバ２のシート情報登録部４２は、端末装置１から送信された信号に対応するシート情報及び初期クラック値情報を登録する（Ｓ１０７）。シート情報登録部４２は、シート情報及び初期クラック値情報を登録すると、シート画像を端末装置１に要求する（Ｓ１０８）。端末装置１のシート画像取得部２４は、シート画像を要求されると、クラックに貼付けられたシートの画像を撮像し（Ｓ１０９）、撮像したシート画像を示す画像データを第１サーバ２に送信する（Ｓ１１０）。
【００７７】
図１１は、Ｓ１０８の要求を受けた端末装置１がＳ１０９で取得した初回の撮影時のシート画像を、Ｓ１１０で測定日と共に送信するためにディスプレイ１４に表示する第１シート画像送信画面の一例を示す図である。
【００７８】
シート画像取得部２４は、シート画像の撮像が終了する（Ｓ１０９）と、第１シート画像送信画面１４４をディスプレイ１４に表示する。第１シート画像送信画面１４４は、撮像画像表示部１４４１と、撮像条件表示部１４４２と、アップロードボタン１４４３と、撮像された画像を消去するキャンセルボタン１４４４とを有する。撮像画像表示部１４４１は、撮像部１６によって撮像された画像が表示される。撮像部１６によって撮像された画像は、クラックに貼付けられたシートが撮像されている。撮像されたシートは、第１方向に延伸する複数の線画を含む第１パターンを有する第１層部、及び第１層部と重ねられ且つ第１方向とは異なる第２方向に延伸する複数の線画を含む第２パターンを有する。第２層部を含む撮像部１６によって撮像された画像は、第１パターンと第２パターンが重ねられたことにより発生したモアレが撮像されている。
【００７９】
撮像条件表示部１４４２は、シートを撮像した撮像日、サイト位置等の撮像条件が表示される。また、撮像条件表示部１４４２は、シート画像の撮像条件と共に第１サーバ２から送信されたサイトＩＤ及びシートＩＤが表示される。シート画像取得部２４は、アップロードボタン１４４３が押下されたとき、シート画像及び測定日を示す信号を第１サーバ２に送信する（Ｓ１１０）。
【００８０】
第１サーバ２の測定情報登録部４３は、端末装置１からシート画像及び測定日が送信されると、送信されたシート画像及び測定日等を含む測定情報を登録する（Ｓ１１１）。次いで、第１サーバ２の測定周期決定部４４は、シートが貼付けられたクラックのクラック幅を測定する測定周期を決定する（Ｓ１１２）。次いで、測定周期出力部４６は、決定された測定周期を示す信号を端末装置１に送信する（Ｓ１１３）。端末装置１の測定日表示部２５は、送信された測定周期に基づいて、シートが貼付けられたクラックのクラック幅の次の測定日を演算し、演算した次の測定日をディスプレイ１４に表示する（Ｓ１１４）。
【００８１】
図１２は、Ｓ１０４の処理のより詳細なフローチャートである。
【００８２】
まず、サイト情報登録部４１は、端末装置１から送信されるサイト情報に基づいて、サイト情報が登録済であるか否かを判定する（Ｓ２０１）。サイト情報登録部４１は、端末装置１から送信されるサイト情報が、図８の第１サイト情報取得画面１４１の既構造物選択部１４１１を介して選択されたことを示すフラグを含むとき、サイト情報が登録済であると判定して（Ｓ２０１−ＹＥＳ）、処理を終了する。
【００８３】
サイト情報登録部４１は、端末装置１から送信されるサイト情報が、図８の第１サイト情報取得画面１４１の新規構造物選択部１４１２の押下を経て、第２サイト情報取得画面１４２で新規に入力されたことを示すフラグを含むとき、サイト情報が登録済でないと判定し（Ｓ２０１−ＮＯ）、新しいサイトＩＤを発行して割り当てる（Ｓ２０２）。次いで、サイト情報登録部４１は、端末装置１から送信されるサイト情報に含まれる位置情報を、構造物の位置を示すサイト位置情報として取得する（Ｓ２０３）。一例では、サイト位置情報は、緯度及び経度として示される。
【００８４】
次いで、サイト情報登録部４１は、構造物情報データベース３−１にアクセスして、サイト情報に対応する構造物の構造物情報を取得する（Ｓ２０４）。次いで、サイト情報登録部４１は、地理情報データベース３−２にアクセスして、サイト情報に対応する構造物が立地する立地地域の地理情報を取得する（Ｓ２０５）。次いで、サイト情報登録部４１は、気象情報データベース３−３にアクセスして、サイト情報に対応する構造物が立地する立地地域の気象情報を取得する（Ｓ２０６）。
【００８５】
次いで、サイト情報登録部４１は、端末装置１から送信されるサイト情報に含まれる構造物図面画像１４２１を、構造物の図面画像として取得する（Ｓ２０７）。次いで、サイト情報登録部４１は、取得した図面画像に図面ＩＤを割り当てる（Ｓ２０８）。そして、サイト情報登録部４１は、Ｓ２０２の処理で割り当てたサイトＩＤにＳ２０８の処理で割り当てた図面ＩＤを関連付ける（Ｓ２０９）。
【００８６】
図１３は、Ｓ１０４の処理で登録されたサイト情報及び図面情報の一例を示す図である。サイト情報及び図面情報は、第１サーバ記憶部３２に記憶される。
【００８７】
サイト情報は、サイトＩＤをキーとするデータのグループであり、サイト位置情報である緯度及び経度、構造物の建設年、種類及び材料、構造物が立地する立地地域の地盤、過去最高気温、過去最低気温、過去最大積雪量、過去１０年の最大震度、並びに構造物の名称等を含む。図面情報は、図面ＩＤをキーとするデータのグループであり、対応するサイトＩＤを含み、図面ＩＤに対応する図面画像とサイトＩＤとを関連付ける。
【００８８】
図１４は、Ｓ１０７の処理のより詳細なフローチャートである。
【００８９】
まず、シート情報登録部４２は、端末装置１から送信されたシート情報及び初期クラック幅を取得する（Ｓ３０１）。次いで、シート情報登録部４２は、新たなシートＩＤを発行して割り当てる（Ｓ３０２）。次いで、シート情報登録部４２は、Ｓ２０２の処理で割り当てられたサイトＩＤ及びＳ２０８の処理で割り当てられた図面ＩＤに、Ｓ３０２の処理で割り当てたシートＩＤを関連付ける（Ｓ３０３）。次いで、シート情報登録部４２は、端末装置１から送信されたシート情報に含まれるシート位置名称を登録する（Ｓ３０４）と共に、端末装置１から送信されたシート情報に含まれるシート貼付座標を登録する（Ｓ３０５）。次いで、シート情報登録部４２は、印刷パターン、ピッチ幅及びオフセット角等のパターン情報を登録する（Ｓ３０６）。シート型番を登録することでもよい。そして、シート情報登録部４２は、初期クラック幅を登録する（Ｓ３０７）。
【００９０】
図１５は、Ｓ１０４の処理で登録されたサイト情報及び図面情報に加えてＳ１０７の処理で登録されたシート情報の一例を示す図である。シート情報は、第１サーバ記憶部３２に記憶される。
【００９１】
シート情報は、シートＩＤをキーとするデータのグループであり、シートＩＤに関連付けるサイトＩＤ及び図面ＩＤ、シート位置名称、シート貼付座標、印刷パターン、ピッチ幅、オフセット角及び初期クラック幅（シート型番であってもよい）等を含む。
【００９２】
図１６は、Ｓ１１１の処理のより詳細なフローチャートである。
【００９３】
まず、測定情報登録部４３は、端末装置１から送信されたシート画像及び測定日を取得する（Ｓ４０１）。次いで、測定情報登録部４３は、新たな測定ＩＤを発行して割り当てる（Ｓ４０２）。次いで、測定情報登録部４３は、Ｓ３０３の処理で割り当てられたシートＩＤに、Ｓ４０２の処理で割り当てた測定ＩＤを関連付ける（Ｓ４０３）。次いで、測定情報登録部４３は、端末装置１から送信されたシート画像を登録する（Ｓ４０４）と共に、端末装置１から送信された測定日を登録する（Ｓ４０５）。次いで、測定情報登録部４３は、クラックの成長幅を示す推定クラック成長幅を「０」と登録する（Ｓ４０６）。そして、測定情報登録部４３は、変形前モアレパラメータを演算し（Ｓ４０７）、演算した変形前モアレパラメータを第１サーバ記憶部３２に記憶する。
【００９４】
変形前モアレパラメータは、変形前のモアレのピッチである第１ピッチmoire_pitch1及び変形前のモアレの傾斜角である第１傾斜角moire_θ1を含む。測定情報登録部４３は、シート画像の空間周波数情報を取得し、取得した空間周波数情報、及びシート画像のアスペクト比からモアレの空間周波数のＸ方向成分fx及びＹ方向成分fyを決定する。そして、測定情報登録部４３は、モアレの空間周波数のＸ方向成分fx及びＹ方向成分fyから、第１ピッチmoire_pitch1及び第１傾斜角moire_θ1を、
moire_pitch1  ＝  √（fx2＋fy2）
moire_θ1  ＝  arctan（fy／fx）
と演算する。変形前モアレパラメータのより詳細な演算方法は、平成２７年９月１６日に出願された特願２０１５−１８３１３６号に記載される。
【００９５】
図１７は、Ｓ１１２の処理のより詳細なフローチャートである。
【００９６】
まず、数値化部４４１は、サイト情報に含まれる地理情報、気象情報及び構造物情報、並びにクラックの幅の少なくとも１つに含まれる項目のそれぞれを、区分を示す数値に数値化し（Ｓ５０１）、数値化した数値を第１サーバ記憶部３２に記憶する。
【００９７】
図１８は、数値化部４４１による数値化処理の基準を格納したテーブルの一例を示す図である。数値化部４４１はこのテーブルを参照して数値化処理を実行する。
【００９８】
数値化部４４１は、構造物が位置する地盤が軟弱であるときに「１」に数値化し、塩害があるときに「１」に数値化する。また、数値化部４４１は、構造物が立地する立地地域において過去１０年に震度４以上の地震があったときに「１」に数値化し、構造物が立地する立地地域において過去１０年に震度４以上の地震があったときに「２」に数値化する。以下同様に、数値化部４４１は、サイト情報に含まれる地理情報、気象情報及び構造物情報を順次数値化する。また、数値化部４４１は、初期クラック幅が１ｍｍ以上であるときに「１」に数値化する。
【００９９】
次いで、合計値演算部４４２は、数値化部４４１によって数値化された数値を加算して合計値を演算する（Ｓ５０２）。次いで、第１判定部４４３は、合計値演算部４４２によって演算された合計値が所定の第１しきい値より大きいか否かを判定する（Ｓ５０３）。第１判定部４４３によって合計値が第１しきい値以下であると判定される（Ｓ５０３−ＮＯ）と、周期決定部４４５は、クラックの測定周期を１２月に決定し（Ｓ５０４）、決定した１２月の測定周期をシート情報の測定周期に登録する（Ｓ５０５）。第１判定部４４３によって合計値が第１しきい値より大きいと判定される（Ｓ５０３−ＹＥＳ）と、第２判定部４４４は、シート情報に登録された初期クラック幅が所定の第２しきい値より大きいか否かを判定する（Ｓ５０６）。第２判定部４４４によって初期クラック幅が第２しきい値以下であると判定される（Ｓ５０６−ＮＯ）と、周期決定部４４５は、クラックの測定周期を６月に決定し（Ｓ５０７）、決定した６月の測定周期をシート情報の測定周期に登録する（Ｓ５０５）。一方、第２判定部４４４によって初期クラック幅が第２しきい値より大きいと判定される（Ｓ５０６−ＹＥＳ）と、周期決定部４４５は、クラックの測定周期を３月に決定し（Ｓ５０８）、決定した３月の測定周期をシート情報の測定周期に登録する（Ｓ５０５）。
【０１００】
図１９は、Ｓ１０４の処理で登録されたサイト情報及び図面情報及びＳ１０７及びＳ１１２の処理で登録されたシート情報に加えてＳ１１１の処理で登録された測定情報の一例を示す図である。測定情報は、第１サーバ記憶部３２に記憶される。
【０１０１】
シート情報には、Ｓ１１２の処理によって測定周期が登録される。測定情報は、測定ＩＤをキーとするデータのグループであり、測定ＩＤに関連付けるシートＩＤ、測定日、シート画像格納アドレス及び推定クラック成長幅等を含む。
【０１０２】
＜第１実施形態に係る測定周期決定システムによる測定周期更新処理＞
図２０は、測定周期決定システム１００による測定周期更新処理のフローチャートである。
【０１０３】
まず、端末装置１は、不図示の点検員の指示に基づいて、シートが貼付けられたクラックの２回目以降の撮影を開始することを第１サーバ２に通知する（Ｓ６０１）。より詳細には、端末装置１の測定開始通知部２１は、ディスプレイ１４を介してクラック測定処理を実行するアプリケーションプログラムが選択されると、図７に示す初期画面１４０をディスプレイ１４に表示する。初期画面１４０の２回目以降撮影ボタン１４０２が不図示の点検員によって押下されたときに、シートが貼付けられたクラックの２回目以降の撮影を開始することを第１サーバ２に通知する（Ｓ６０１）。
【０１０４】
第１サーバ２のシート情報登録部４２は、シートが貼付けられたクラックの２回目以降の撮影を開始することが通知されると、シート情報を端末装置１に要求する（Ｓ６０２）。端末装置１のシート情報取得部２３は、シート情報を要求されると、シート情報を取得し、取得したシート情報を示す信号を第１サーバ２に送信する（Ｓ６０３）。
【０１０５】
図２１は、Ｓ６０２の要求を受けた端末装置１が、Ｓ６０３でシート情報を取得するためにディスプレイ１４に表示される第２サイト情報取得画面の一例を示す図である。
【０１０６】
シート情報取得部２３は、シート情報を要求されると、第２シート情報取得画面１４５をディスプレイ１４に表示する。第２シート情報取得画面１４５は、サイト名選択部１４５１と、シート貼付位置選択部１４５２と、シート貼付位置表示部１４５３と、アップロードボタン１４５４と、入力された情報を消去するキャンセルボタン１４５５とを有する。サイト名選択部１４５１は、押下されると、サイトの名称をドロップダウンリスト形式で選択可能に表示する。シート情報取得部２３は、サイト名選択部１４５１において例えば「ＡＢＣ橋」が選択されると、第１サーバ記憶部３２にアクセスして、「ＡＢＣ橋」のサイト情報、及び「ＡＢＣ橋」のサイト情報に関連付けられた図面画像、図面情報及びシート情報を取得する。シート貼付位置選択部１４５２は、押下されると、シート情報取得部２３はシートの貼付位置をドロップダウンリスト形式で選択可能にディスプレイ１４に表示する。シート情報取得部２３は、シート貼付位置選択部によってドロップダウンリスト形式で表示されたシート貼付位置が選択されると、選択されたシート貼付位置を図面画像と重畳してシート貼付位置表示部１４５３に表示する。シート情報取得部２３は、アップロードボタン１４３６が押下されたとき、サイト名選択部１４５１を介して選択されたサイト名及びシート貼付位置選択部１４５２を介して選択されたシート貼付位置を含むシート情報を示す信号を第１サーバ２に送信する（Ｓ６０３）。
【０１０７】
第１サーバ２のシート情報登録部４２は、端末装置１からシート情報が送信されると、シート画像を端末装置１に要求する（Ｓ６０４）。端末装置１のシート画像取得部２４は、シート画像を要求されると、クラックに貼付けられたシートの画像を撮像し（Ｓ６０５）、撮像したシート画像及び測定日を示す信号を第１サーバ２に送信する（Ｓ６０６）。
【０１０８】
図２２は、Ｓ６０４の要求を受けた端末装置１が、Ｓ６０６で２回目以降の撮影時のシート画像を送信するためにディスプレイ１４に表示される第２シート画像送信画面の一例を示す図である。
【０１０９】
シート画像取得部２４は、シート画像の撮像が終了すると、第２シート画像送信画面１４６をディスプレイ１４に表示する。第２シート画像送信画面１４６は、撮像画像表示部１４６１と、撮像条件表示部１４６２と、アップロードボタン１４６３と、撮像された画像を消去するキャンセルボタン１４６４とを有する。撮像画像表示部１４６１は、撮像部１６によって撮像された画像が表示される。撮像条件表示部１４６２は、サイト名、シート貼付位置、及びシート位置等の撮像条件が表示される。シート画像取得部２４は、アップロードボタン１４６３が押下されたとき、シート画像及び測定日を示す信号を第１サーバ２に送信する（Ｓ６０６）。
【０１１０】
第１サーバ２の測定周期更新部４５は、端末装置１からシート画像及び測定日が送信されると、送信されたシート画像及び測定日等を含む更新測定情報を登録する（Ｓ６０７）。次いで、第１サーバ２の測定周期更新部４５は、シートが貼付けられたクラックのクラック幅を測定する測定周期を更新する（Ｓ６０８）。次いで、測定周期出力部４６は、更新された測定周期を示す信号を端末装置１に送信する（Ｓ６０９）。端末装置１の測定日表示部２５は、送信された測定周期に基づいて、シートが貼付けられたクラックのクラック幅の次の測定日を演算し、演算した次の測定日をディスプレイ１４に表示する（Ｓ６１０）。
【０１１１】
図２３は、Ｓ６０７の処理のより詳細なフローチャートである。
【０１１２】
まず、更新情報登録部４５１は、端末装置１から送信されたシート画像及び測定日を取得する（Ｓ７０１）。次いで、更新情報登録部４５１は、新たな測定ＩＤを発行して割り当てる（Ｓ７０２）。次いで、更新情報登録部４５１は、Ｓ３０３の処理で割り当てられたシートＩＤに、Ｓ７０２の処理で割り当てた測定ＩＤを関連付ける（Ｓ７０３）。次いで、更新情報登録部４５１は、端末装置１から送信されたシート画像を登録する（Ｓ７０４）と共に、端末装置１から送信された測定日を登録する（Ｓ７０５）。次いで、更新情報登録部４５１は、変形後モアレパラメータを演算し（Ｓ７０６）、演算した変形後モアレパラメータを第１サーバ記憶部３２に記憶する。
【０１１３】
変形後モアレパラメータは、変形後のモアレのピッチである第２ピッチmoire_pitch2及び変形後のモアレの傾斜角である第２傾斜角moire_θ2を含む。第２ピッチmoire_pitch2及び変形後のモアレの傾斜角である第２傾斜角moire_θ2の演算方法は、Ｓ４０７の処理における第１ピッチmoire_pitch1及び第１傾斜角moire_θ1と同様なので、ここでは詳細な説明は省略する。
【０１１４】
次いで、クラック成長幅推定部４５２は、変形前モアレパラメータ及び変形後モアレパラメータから変形前後の第１パターン１２１のピッチの変化量を演算し、演算したピッチの変化量からクラック成長幅を推定する（Ｓ７０７）。
【０１１５】
図２４は、Ｓ７０７の処理を説明するための第１の図である。第１方向に延伸する複数の平行の実線で示される直線Ｐ１１の間隔は変形前の第１パターン１２１のピッチpitchを示し、第１方向に延伸する複数の平行の破線で示される直線Ｐ１２の間隔は変形後の第１パターン１２１のピッチpitch+Δpitch_stを示す。また、第２方向に延伸する複数の平行の実線で示される直線Ｐ２の間隔は第２パターン１２２のピッチpitchを示す。第２パターン１２２のピッチpitchは、第１パターン１２１のピッチpitchと同一である。また、複数の平行の一点鎖線で示される直線Ｍ１の間隔は変形前のモアレの第１ピッチmoire_pitch1を示し、複数の平行の二点鎖線で示される直線Ｍ２の間隔は変形後のモアレの第２ピッチmoire_pitch2を示す。第２ピッチmoire_pitch2のＸ方向成分はmoire_pitch_xで示され、第２ピッチmoire_pitch2のＹ方向成分はmoire_pitch_yで示される。シート１０１は、Ｘ方向、すなわち第１方向に直交する方向に変形する。したがって、モアレのピッチのＹ方向成分は、シート１０１の変形前後で変化せずに、moire_pitch_yで一定である。
【０１１６】
図２４においてαで示されるモアレの第２ピッチのＹ方向成分moire_pitch_yは、変形前のモアレの第１ピッチmoire_pitch1及びオフセット角度offset_θから、
【０１１７】
【数１】
2018081560.tif 000003
【０１１８】
で示される。
【０１１９】
図２５（Ａ）はＳ７０７の処理を説明するための第２の図であり、図２５（Ｂ）はＳ７０７の処理を説明するための第３の図である。図２５（Ａ）は図２４において矢印Ａで示される破線で囲まれた部分の部分拡大図である。offset_θはオフセット角度を示し、pitchは変形前の第１パターン１２１のピッチ、及び第２パターン１２２のピッチを示し、Δpitch_stは変形前後の第１パターン１２１のピッチの変化量を示し、moire_θ1は第１傾斜角を示す。また、傾斜ピッチpitch_sl及び差分傾斜ピッチΔpitch_slは演算に使用される変数である。傾斜ピッチpitch_slは第２パターン１２２のピッチpitch及び第１傾斜角moire_θ1により規定され、差分傾斜ピッチΔpitch_slは傾斜ピッチpitch_slと第２パターン１２２のピッチpitchとの差である。
【０１２０】
オフセット角度offset_θは、差分傾斜ピッチΔpitch_sl及び図２５（Ａ）においてｘで示される長さから、
【０１２１】
【数２】
2018081560.tif 000004
【０１２２】
で示される。また、第１傾斜角moire_θ1は、変形前の第１パターン１２１のピッチpitch及び図２５（Ａ）においてｘで示される長さから、
【０１２３】
【数３】
2018081560.tif 000005
【０１２４】
で示される。差分傾斜ピッチΔpitch_slは、この２つの式を展開することにより、
【０１２５】
【数４】
2018081560.tif 000006
【０１２６】
で示される。一方、傾斜ピッチpitch_slは、変形前の第１パターン１２１のピッチpitch及び差分傾斜ピッチΔpitch_slから、
【０１２７】
【数５】
2018081560.tif 000007
【０１２８】
で示される。また、変形前後の第１パターン１２１のピッチの変化量Δpitch_st、傾斜ピッチpitch_sl及び差分傾斜ピッチΔpitch_slは、
【０１２９】
【数６】
2018081560.tif 000008
【０１３０】
で示される。ここで、ｎは変形後のモアレの第２ピッチのＸ成分moire_pitch_xの半周期が傾斜ピッチpitch_slの何倍であるか示す倍数である。上記の式から、倍数ｎは、
【０１３１】
【数７】
2018081560.tif 000009
【０１３２】
で示される。一方、変形後のモアレの第２ピッチのＸ成分moire_pitch_x、傾斜ピッチpitch_sl及び倍数ｎは、
【０１３３】
【数８】
2018081560.tif 000010
【０１３４】
で示される。これらの関係から、変形後のモアレの第２ピッチのＸ成分moire_pitch_xは、
【０１３５】
【数９】
2018081560.tif 000011
【０１３６】
で示される。また、図２５（Ｂ）に示すように、変形後のモアレの第２ピッチのＸ成分moire_pitch_x、変形後のモアレの第２ピッチのＸ成分moire_pitch_y及び第２傾斜角moire_θ２は、
【数１０】
2018081560.tif 000012
【０１３７】
で示される。以上の式から、変形前後の第１パターン１２１のピッチの変化量Δpitch_stは、
【数１１】
2018081560.tif 000013
【０１３８】
で示される。ここで、
【数１２】
2018081560.tif 000014
【数１３】
2018081560.tif 000015
【０１３９】
である。クラック成長幅推定部４５２は、式（１）を使用して、変形前後の第１パターン１２１のピッチの変化量Δpitch_stを演算する。
【０１４０】
クラック成長幅推定部４５２は、変形前後の第１パターン１２１のピッチの変化量Δpitch_stに、ピッチが変化する領域に含まれる第１パターン１２１の直線の本数を乗算することにより、クラックの成長幅を演算する。クラックの成長幅のより詳細な演算方法は、平成２７年９月１６日に出願された特願２０１５−１８３１３６号に記載される。
【０１４１】
そして、更新情報登録部４５１は、Ｓ７０７の処理で推定されたクラックの成長幅を登録する（Ｓ７０８）。また、更新情報登録部４５１は、Ｓ７０７の処理で推定されたクラックの成長幅に基づいて、シート情報に登録されるクラック幅を更新する（Ｓ７０９）。
【０１４２】
測定周期更新部４５の周期更新部４５３によって実行されるＳ６０８の処理は、図１７を参照して説明されるＳ１１２の処理と同様なので、ここでは詳細な説明は省略する。周期更新部４５３は、測定周期決定部４４と同様に、数値化部４４１、合計値演算部４４２、第１判定部４４３、第２判定部４４４及び周期決定部４４５を有して、Ｓ６０８の処理を実行してもよい。また、周期更新部４５３は、測定周期決定部４４にＳ６０８の処理の実行を指示してもよい。
【０１４３】
図２６は、Ｓ１０４の処理で登録されたサイト情報及び図面情報に加えて、Ｓ６０７の処理で更新されたクラック幅を含むシート情報、及びＳ６０７の処理で登録されたクラックの成長幅を含む測定情報の一例を示す図である。シート情報及び測定情報は、第１サーバ記憶部３２に記憶される。
【０１４４】
測定情報において、推定クラック成長幅は、Ｓ７０７の処理で推定された値である。また、シート情報において、クラック幅は、図１９に示される初期クラック幅に、測定情報の推定クラック成長幅を加算した値である。すなわち、推定クラック成長幅は、先に取得した画像データに対応するモアレと、今回取得された画像に対応するモアレとの比較に基づいて推定される。
【０１４５】
測定周期決定システム１００は、単一のシートだけでなく、複数のシートに対して図６を参照して説明される測定周期決定処理及び図２０を参照して説明される測定周期更新処理を実行してもよい。複数のシートに対して測定周期決定処理及び測定周期決定処理が実行されるとき、複数のシートのそれぞれに対応するサイト情報、図面情報、シート情報及び測定情報は、第１サーバ記憶部３２に記憶される。
【０１４６】
＜第１実施形態に係る測定周期決定システムの作用効果＞
第１実施形態に係る測定周期決定システム（に係る測定周期決定装置、プログラム、方法等）は、地理情報、気象情報、構造物情報、及びクラック情報の少なくとも１つに基づいて、構造物にクラックの幅を測定する測定周期を決定するので、クラックの幅の測定周期を構造物の状態に応じて変更することができる。
【０１４７】
また、第１実施形態に係る測定周期決定システムは、クラックの成長幅等のクラック情報に基づいて測定周期を更新するので、クラックの幅の測定周期をクラックの状態の変化に応じて変更することができる。
【０１４８】
また、第１実施形態に係る測定周期決定システムは、モアレを撮像したシート画像に基づいてクラックの成長幅を推定するので、クラックの成長幅を簡便且つ精度良く推定することができる。
【０１４９】
また、第１実施形態に係る測定周期決定システムは、地理情報、気象情報、構造物情報、及びクラック情報に含まれる項目を数値化した数値の合計値に基づいて測定周期を決定するので、構造物の環境及びクラックの状態に応じた測定周期とすることができる。
【０１５０】
また、第１実施形態に係る測定周期決定システムは、項目を数値化した数値の合計値に加えてクラックの幅を考慮して測定周期を決定するので、クラックの幅に応じてより適切な測定周期とすることができる。
【０１５１】
＜第２実施形態に係る測定周期決定システムの構成＞
第２実施形態に係る測定周期決定システムは、端末装置１と、第２サーバ７と、構造物情報データベース３−１と、地理情報データベース３−２と、気象情報データベース３−３とを含む。
【０１５２】
＜第２実施形態に係る第２サーバの構成及び機能＞
図２７は、第２実施形態に係る測定周期決定装置の一例である第２サーバ７の概略構成の一例を示す図である。
【０１５３】
第２サーバ７は、第２サーバ通信部２３１と、第２サーバ記憶部２３２と、第２サーバ出力部２３３と、第２サーバ入力部２３４と、第２サーバ処理部５０とを備える。第２サーバ通信部２３１、第２サーバ記憶部２３２、第２サーバ出力部２３３及び第２サーバ入力部２３４のそれぞれは、第１サーバ通信部３１〜第１サーバ入力部３４のそれぞれと同様な構成を有するので、ここでは詳細な説明は省略する。第２サーバ処理部５０は、測定経路生成部５１を有することが第１サーバ処理部４０と相違する。測定経路生成部５１は、測定経路情報生成部５１１と、測定経路信号出力部５１２とを有する。第２サーバ７は、第１サーバ２と同様に、図６を参照して説明される測定周期決定処理及び図２０を参照して説明される測定周期更新処理を端末装置１と協働して実行する。第２サーバ７は、測定周期決定処理及び測定周期更新処理に加えて、複数のサイトに配置されたシートを撮像して、シートが貼付けられたクラックの幅を測定するときの測定経路を含む測定経路情報を生成する測定経路生成処理を実行する。
【０１５４】
＜第２実施形態に係る測定周期決定システムによる測定経路情報生成処理＞
図２８は、測定経路生成部５１による測定経路情報生成処理を示すフローチャートである。
【０１５５】
まず、測定経路情報生成部５１１は、シートの撮影によりクラックの幅を測定するときの経路を含む測定経路情報の生成を指示する測定経路生成指示を取得する（Ｓ８０１）と共に、測定経路を生成するシートが含まれる地域を示す測定範囲を取得する（Ｓ８０２）。測定経路情報生成部５１１によって取得される測定経路生成指示は、測定予定日を含む。測定経路生成指示及び測定範囲は、同時に取得してもよく、測定経路生成指示及び測定範囲の順に順次取得してもよい。また、測定経路生成指示及び測定範囲は、端末装置１から取得してもよく、第２サーバ入力部２３４を介して取得してもよい。
【０１５６】
次いで、測定経路情報生成部５１１は、Ｓ８０２の処理で取得した測定範囲に含まれるシートの中から、クラックの幅を測定するために撮像されるシートを示す測定候補を抽出する（Ｓ８０３）。具体的には、測定経路情報生成部５１１は、まずＳ８０２の処理で取得した測定範囲に含まれるシートを抽出する。次いで、測定経路生成指示は、抽出したシートの最新の測定情報に含まれる測定日、及びシート情報に含まれる測定周期から、測定範囲に含まれるシートのそれぞれについて次の測定日を演算する。次いで、測定経路情報生成部５１１は、演算された次の測定日に基づいて、測定候補を抽出する。一例では、測定経路情報生成部５１１は、演算された次の測定日が測定予定日から所定の期間内に含まれるシートを測定候補として抽出する。他の例では、測定経路生成指示は、演算された次の測定日が測定予定日に近い順に所定数のシートを測定候補として抽出する（Ｓ８０３）。
【０１５７】
また、さらに測定者の作業スケジュールも考慮してよい。この場合、たとえば３か所のシートの次回測定予定日がそれぞれ、８月３日（シートＡＡＡ）、８月１６日（シートＡＡＢ）、８月１８日（シートＡＡＣ）とシート情報に登録されていれば、測定者の作業スケジュールが毎月１回で次回が８月１日と登録されているときにはその３か所すべてを測定候補として、測定経路情報生成部５１１は抽出する。測定者の作業スケジュールが毎月２回で次回が８月１日と８月１５日と登録されているときには、測定経路情報生成部５１１は８月１日分としてシートＡＡＡを抽出し、８月１５日分としてシートＡＡＢとシートＡＡＣとを抽出する。
【０１５８】
次いで、測定経路情報生成部５１１は、Ｓ８０４の処理で抽出された測定候補を撮像することによりクラックの幅を測定するときの経路を含む測定経路情報を生成する（Ｓ８０４）。測定経路情報生成部５１１は、第２サーバ記憶部２３２によって記憶された測定周期情報、及び複数の構造物のそれぞれの位置関係を示す位置関係情報に基づいて、複数の構造物のそれぞれのクラックの幅を測定するときの経路を含む測定経路情報を生成する。測定経路情報生成部５１１は、ランダムサーチ、焼きなまし法、及び遺伝的アルゴリズム等の公知の経路検索アルゴリズムを使用して、クラックの幅を測定するときの経路を生成してもよい。
【０１５９】
図２９は、第２サーバ７がＳ８０５の処理で生成した測定経路情報の一例を示す図である。
【０１６０】
測定経路情報２９０は、測定範囲に対応する地図画像と、地図画像に配置される測定候補の測定順序を示す数値と、地図画像に配置される測定候補のそれぞれの間の経路とを含む。測定経路情報２９０において、矢印Ａ〜Ｃのそれぞれで示される地点に測定順序を示す数値が表示される。矢印Ａで示される地点には測定順序「１」が表示され、矢印Ｂで示される地点には測定順序「２」が表示され、矢印Ｃで示される地点には測定順序「３」が表示される。また、測定経路情報２９０には、矢印Ａで示される地点と矢印Ｂで示される地点との間の経路、及び矢印Ｂで示される地点と矢印Ｃで示される地点との間の経路が示される。
【０１６１】
そして、測定経路信号出力部５１２は、Ｓ８０５の処理で生成された測定経路を含む測定経路情報を示す測定経路信号を端末装置１に出力する（Ｓ８０５）。
【０１６２】
＜第２実施形態に係る測定周期決定システムの作用効果＞
第２実施形態に係る測定周期決定システムは、測定周期情報及び複数の構造物のそれぞれの位置関係を示す位置関係情報に基づいて、複数の構造物のそれぞれのクラックの幅を測定するときの経路を含む測定経路情報を生成するので、適切な経路を点検員に提供できる。
【０１６３】
＜第３実施形態に係る測定周期決定システムの構成＞
第３実施形態に係る測定周期決定システムは、端末装置１と、探索端末装置８と、第３サーバ９と、構造物情報データベース３−１と、地理情報データベース３−２と、気象情報データベース３−３とを含む。
【０１６４】
図３０は、探索端末装置８の概略構成の一例を示す図である。
【０１６５】
探索端末装置８は、例えば多機能携帯電話であり、探索通信部６１と、探索近距離通信部６２と、探索操作部６３と、探索ディスプレイ６４と、探索記憶部６５と、探索撮像部６６と、探索測位システム部６７と、探索時計部６８と、探索処理部７０とを有する。探索通信部６１〜探索時計部６８のそれぞれは、端末通信部１１〜時計部１８のそれぞれと同様な構成を有するので、ここでは詳細な説明は省略する。
【０１６６】
図３において、単一の探索端末装置８が示されるが、実施形態に係る測定周期決定システムは、複数の探索端末装置８を含んでもよい。また、探索端末装置８は、橋梁、堤防及びトンネル等の構造物の保守点検業務を実行する点検員に使用されるのではなく、一般のユーザに使用される。探索端末装置８は、シートが貼付けられたサイトの位置にポイントが配置されるポイント地図を表示する。ポイント地図に配置されるポイントは、対応するクラックのそれぞれを重み付けする値である。シートに対応するポイントは、シートを撮影してクラックの幅を測定する測定日までの日数が少なくなるほど、大きくなるように重み付けされる。また、探索端末装置８は、表示したポイント地図に配置されるポイントに対応するシートが撮像されたときに、累積した合計のポイントを表示する探索アプリが搭載される。探索端末装置８を使用するユーザは、ポイントに対応するシートを撮像して、撮像したシートを含む画像を示す画像データを第３サーバ９に送信することによって、ポイント地図に表示されたポイントを獲得することができる。一例では、ユーザによって獲得されたポイントは、所定のスーパーマーケットにおける買い物の割引券、所定のレジャー施設の利用料金の割引券等と交換可能である。
【０１６７】
探索処理部７０は、一又は複数個のプロセッサ及びその周辺回路を有する。探索処理部７０は、探索端末装置８の全体的な動作を統括的に制御するものであり、例えば、ＣＰＵ（Central Processing Unit）である。探索処理部７０は、探索端末装置８の各種処理が探索記憶部６５に記憶されているプログラム、探索操作部６３の操作等に応じて適切な手順で実行されるように、探索通信部６１、探索近距離通信部６２等の動作を制御する。探索処理部７０は、探索記憶部６５に記憶されているプログラム（ドライバプログラム、オペレーティングシステムプログラム、アプリケーションプログラム等）に基づいて処理を実行する。また、探索処理部７０は、複数のプログラム（アプリケーションプログラム等）を並列に実行することができる。
【０１６８】
探索処理部７０は、探索アプリ起動通知部７１と、位置情報取得部７２と、位置情報取得部７３と、地図情報取得部７４と、シート情報取得部７５と、シート画像取得部７６と、ポイント取得部７７とを有する。探索処理部７０が有するこれらの各部は、探索処理部７０が有するプロセッサ上で実行されるプログラムによって実装される機能モジュールである。あるいは、探索処理部７０が有するこれらの各部は、独立した集積回路、マイクロプロセッサ、又はファームウェアとして探索端末装置８に実装されてもよい。
【０１６９】
＜第３実施形態に係る第３サーバの構成及び機能＞
図３１は、第３実施形態に係る測定周期決定装置の一例である第３サーバ９の概略構成の一例を示す図である。
【０１７０】
第３サーバ９は、第３サーバ通信部３３１と、第３サーバ記憶部３３２と、第３サーバ出力部３３３と、第３サーバ入力部３３４と、第３サーバ処理部８０とを備える。第３サーバ通信部３３１〜第３サーバ入力部３３４のそれぞれは、第１サーバ通信部３１〜第１サーバ入力部３４のそれぞれと同様な構成を有するので、ここでは詳細な説明は省略する。第３サーバ処理部８０は、探索情報生成部８１と、探索情報提供部８２とを有することが第１サーバ処理部４０と相違する。探索情報生成部８１は、測定予定日演算部８１１と、ポイント生成部８１２と、ポイント登録部８１３と、地図情報生成部８１４とを有する。探索情報提供部８２は、探索端末情報取得部８２１と、地図情報出力部８２２と、ポイント情報更新部８２３と、ポイント情報出力部８２４とを有する。第３サーバ９は、第１サーバ２と同様に、図６を参照して説明される測定周期決定処理及び図２０を参照して説明される測定周期更新処理を端末装置１と協働して実行する。第３サーバ９は、測定周期決定処理及び測定周期更新処理に加えて、クラックに貼付けられたシートをポイント化した探索情報を生成する探索情報生成処理と、生成した探索情報を提供する探索情報提供処理を実行する。
【０１７１】
＜第３実施形態に係る測定周期決定システムによる探索情報生成処理＞
図３２は、探索情報生成部８１による探索情報生成処理を示すフローチャートである。
【０１７２】
まず、測定予定日演算部８１１は、シートＩＤが付されたシートのそれぞれについて、測定情報に登録された測定日、及びシート情報に登録された測定周期から、次にクラック幅を測定する測定予定日を演算する（Ｓ９０１）。次いで、ポイント生成部８１２は、シートＩＤが付されたシートのそれぞれについて、シートを貼りつけたクラックの幅を測定する測定予定日までの日数に応じたポイントを生成する（Ｓ９０２）。ポイント生成部８１２は、例えば、測定予定日までの日数が１月であるとき１ポイントとし、測定予定日までの日数が２週間であるとき３ポイントとし、測定予定日までの日数が１週間であるとき５ポイントとしてもよい。次いで、ポイント登録部８１３は、ポイント生成部８１２によって生成されたポイントをシート情報に登録する（Ｓ９０３）。そして、地図情報生成部８１４は、所定の地図画像において、シートのそれぞれのサイト情報に登録されたサイト位置情報に対応する位置に、Ｓ９０３の処理で登録されたポイントを配置して、ポイントが表示されたポイント地図を生成する（Ｓ９０４）。ポイント地図は、クラックに貼付けられたシートをポイント化した探索情報の一例である。
【０１７３】
図３３は、第３サーバ９がＳ９０４の処理で生成したポイント地図の一例を示す図である。
【０１７４】
ポイント地図３３０において、矢印Ａ〜Ｃのそれぞれで示される地点にポイントが表示される。矢印Ａで示される地点にはポイント「５」が表示され、矢印Ｂで示される地点にはポイント「１」が表示され、矢印Ｃで示される地点にはポイント「３」が表示される。
【０１７５】
＜第３実施形態に係る測定周期決定装置による測定周期決定処理＞
図３４は、測定周期決定システム１００による測定周期決定処理のフローチャートである。
【０１７６】
まず、探索アプリ起動通知部７１は、ポイントに対応するシートを探索する探索アプリがユーザによって起動されたことに応じて、探索アプリの起動を第３サーバ９に通知する（Ｓ１００１）。探索端末情報取得部８２１は、探索アプリの起動が通知されると、探索端末装置８にユーザＩＤを要求する（Ｓ１００２）。探索端末情報取得部８２１は、第３サーバ９からユーザＩＤが要求されると、探索記憶部６５等に記憶されたユーザＩＤを取得し、取得したユーザＩＤを示す信号を第３サーバ９に送信する（Ｓ１００３）。次いで、探索端末情報取得部８２１は、送信されたユーザＩＤを記憶すると共に、探索端末装置８に位置情報を要求する（Ｓ１００４）。次いで、位置情報取得部７３は、測位システム部１７が取得した位置情報を示す信号を第３サーバ９に送信する（Ｓ１００５）。次いで、地図情報出力部８２２は、送信された位置情報が示す地点を含むポイント地図を選択し、選択したポイント地図、及び選択したポイント地図に含まれるシートのシート情報を探索端末装置８に送信する（Ｓ１００６）。
【０１７７】
次いで、地図情報取得部７４は、第３サーバ９から送信されたポイント地図を、探索ディスプレイ６４に表示する（Ｓ１００７）。次いで、シート情報取得部７５は、測位システム部１７が取得した位置情報に基づいて、ポイント地図上にポイントが示されるシートの何れかと、探索端末装置との間の距離が所定の閾値距離以下になったときに、シート情報を探索ディスプレイ６４に表示する。探索ディスプレイ６４に表示されるシート情報は、サイトにおけるシートの貼付け位置を示す情報であり、一例では図２１に示されるシート貼付位置表示部１４５３と同様に、ポイントが示されたシートの貼付位置と図面画像とを重畳して表示する画像である。
【０１７８】
次いで、シート画像取得部７６は、探索端末装置８を使用するユーザの指示に基づいて、クラックに貼付けられたシートの画像を撮像し（Ｓ１００９）、撮像したシート画像及び測定日を示す信号を第３サーバ９に送信する（Ｓ１０１０）。
【０１７９】
第３サーバ９の測定周期更新部４５は、探索端末装置８からシート画像及び測定日が送信されると、送信されたシート画像及び測定日等を含む更新測定情報を登録する（Ｓ１０１１）。次いで、第１サーバ２の測定周期更新部４５は、シートが貼付けられたクラックのクラック幅を測定する測定周期を更新する（Ｓ１０１２）。Ｓ１０１１及びＳ１０１２の処理は、図２３を参照して説明されたＳ６０７の処理及び１８を参照して説明されたＳ１１２の処理と同様なので、ここでは、詳細な説明は省略する。
【０１８０】
次いで、ポイント情報更新部８２３は、Ｓ１００３の処理で記憶されたユーザＩＤに関連付けて記憶されるポイント数に、Ｓ１０１１の処理で更新想定情報が登録されたシートに対応するポイントを加算して、ポイント情報を更新する（Ｓ１０１３）。次いで、ポイント情報出力部８２４は、Ｓ８２３の処理で更新されたポイント情報を示す信号を探索端末装置８に送信する（Ｓ１０１４）。そして、ポイント取得部７７は、Ｓ１０１４の処理で送信されたポイント情報を探索ディスプレイ６４に表示する（Ｓ１０１５）。
【０１８１】
＜第３実施形態に係る測定周期決定システムの作用効果＞
第３実施形態に係る測定周期決定システムは、測定周期情報に基づいて、複数のクラックのそれぞれを重み付けすることで、次の測定日までの日にちに応じて複数のクラックを順位付けしたポイント情報を重み付け信号として提供することができる。第３実施形態に係る測定周期決定システムでは、ポイント情報を買い物の割引券等と交換可能なポイントとして点検員以外の一般のユーザに提供することで、点検員ではない一般のユーザにクラックの幅を測定させるインセンティブを与えることができる。
【０１８２】
＜実施形態に係る測定周期決定システムの変形例＞
第１〜第３実施形態に係る測定周期決定システムでは、シート画像を取得して登録する測定情報登録部４３及び更新情報登録部４５１等が、構造物に発生したクラックに関するクラック情報を取得するクラック情報取得部として機能する。しかしながら、実施形態に係る測定周期決定システムでは、構造物に発生したクラックに関するクラック情報はシートに発生するモアレを撮像したシート画像に限定されない。例えば、シート画像に示されるモアレからクラック成長幅を推定するクラック成長幅推定部に対応する機能を携帯端末が有してもよい。この場合、構造物に発生したクラックに関するクラック情報は、推定されたクラック成長幅、又は推定されたクラック成長幅と前回の測定で測定されたクラック幅とを加算して演算されるクラック幅であってもよい。
【０１８３】
また、第１〜第３実施形態に係る測定周期決定システムでは、地理情報、気象情報、構造物情報、及びクラック情報に基づいて、クラックの幅を測定する測定周期は決定される。しかしながら、実施形態に係る測定周期決定システムでは、クラックの幅を測定する測定周期は、地理情報、気象情報、及び構造物情報の少なくとも１つ、並びにクラック情報に基づいて決定されてもよい。また、実施形態に係る測定周期決定システムでは、クラックの幅を測定する測定周期は、地理情報、気象情報、構造物情報、及びクラック情報の少なくとも１つに基づいて決定されてもよい。
【０１８４】
また、第１〜第３実施形態に係る測定周期決定システムでは、決定又は更新された測定周期が測定周期情報として携帯端末に出力されるが、測定周期決定システムでは、決定又は更新された測定周期に関連する測定周期情報が携帯端末に出力されてもよい。例えば、携帯端末に出力される測定周期情報は、クラックの幅を次に測定する日にち、クラックの幅を測定する日にちが所定の日にちしきい値よりも近いことを示す警報であってもよい。
【０１８５】
また、第３実施形態に係る測定周期決定システムでは、探索情報生成部８１によって予め生成されたポイント地図を使用して、測定周期決定処理が実行されるが、実施形態に係る測定周期決定システムでは、ポイント地図は使用されなくてもよい。実施形態に係る測定周期決定システムでは、探索端末装置は、インタネットを介して入手可能な地図に、対応する位置情報に応じてポイントを重畳して表示してもよい。
【０１８６】
＜各実施形態に係る測定周期決定システムのユーザ＞
測定周期決定システムは、種々のユーザによって活用されることが期待される。たとえば、国道等の橋梁やトンネルのオーナである国や地方自治体、私鉄等の橋梁やトンネル等のオーナである私的企業、それらから業務委託を受けた（公的、私的を問わず）管理会社が考えられる。また、インフラとして工場や倉庫やオフィスビルを想定する場合には、それらのオーナや管理会社も考えられる。また、インフラとして住居用のコンドミニアムやアパートを想定する場合には、それらのオーナや管理会社に加えて住民による管理組合も考えられる。さらに、第３の実施形態においては、それらからインセンティブ付与された一般の人々も考えられる。
【符号の説明】
【０１８７】
１    端末装置
２    第１サーバ
７    第２サーバ
８    探索端末装置
９    第３サーバ
４１    サイト情報登録部（関連情報取得部）
４２    シート情報登録部（クラック情報取得部）
４３    測定情報登録部
４４    測定周期決定部
４５    測定周期更新部
４６    測定周期出力部
【図１】
2018081560.tif 000016
【図２】
2018081560.tif 000017
【図３】
2018081560.tif 000018
【図４】
2018081560.tif 000019
【図５】
2018081560.tif 000020
【図６】
2018081560.tif 000021
【図７】
2018081560.tif 000022
【図８】
2018081560.tif 000023
【図９】
2018081560.tif 000024
【図１０】
2018081560.tif 000025
【図１１】
2018081560.tif 000026
【図１２】
2018081560.tif 000027
【図１３】
2018081560.tif 000028
【図１４】
2018081560.tif 000029
【図１５】
2018081560.tif 000030
【図１６】
2018081560.tif 000031
【図１７】
2018081560.tif 000032
【図１８】
2018081560.tif 000033
【図１９】
2018081560.tif 000034
【図２０】
2018081560.tif 000035
【図２１】
2018081560.tif 000036
【図２２】
2018081560.tif 000037
【図２３】
2018081560.tif 000038
【図２４】
2018081560.tif 000039
【図２５】
2018081560.tif 000040
【図２６】
2018081560.tif 000041
【図２７】
2018081560.tif 000042
【図２８】
2018081560.tif 000043
【図２９】
2018081560.tif 000044
【図３０】
2018081560.tif 000045
【図３１】
2018081560.tif 000046
【図３２】
2018081560.tif 000047
【図３３】
2018081560.tif 000048
【図３４】
2018081560.tif 000049